(57)【要約】  運動競技場は、観客席（１３）によって囲まれた固定式支持基台（５）を有する。フィールドカバー（２）は、固定式支持基台（５）上に配置されており、複数のフィールドモジュール（１）を備える。フィールドモジュール（１）は、固定式支持基台（５）上で移動可能である。開口部（１４）は、固定式支持基台（５）の下方のレベルにおいて収納室（５０）へのアクセスを構成する。上昇装置（６０）は、開口部（１４）と関連付けて配置されており、収納室（５０）のレベル（３、４）と固定式支持基台（５）のレベルとの間でフィールドモジュール（１）を昇降させるように構成されている。収納室（５０）には、収納室（５０）の側面に車両アクセスポート（１１）が設けられている。
2016509139.tif 000002
【特許請求の範囲】
【請求項１】
観客席（１３）によって囲まれた固定式支持基台（５）を有する運動競技場であって、
フィールドカバー（２）が、前記固定式支持基台（５）に配置されており、複数のフィールドモジュール（１）を備え、
前記フィールドモジュール（１）が、前記固定式支持基台（５）上で移動可能であり、
開口部（１４）が、前記固定式支持基台（５）の下方のレベルにある収納室（５０）へのアクセスを構成し、
上昇装置（６０）が、前記開口部（１４）に関連付けられて配置され、前記収納室（５０）のレベル（３、４）と前記固定式支持基台（５）のレベルとの間で前記フィールドモジュール（１）を昇降させるように構成され、
前記収納室（５０）には、当該収納室（５０）の側面に車両アクセスポート（１１）が設けられていることを特徴とする運動競技場。
【請求項２】
前記上昇装置（６０）が、前記収納室（５０）の側面に関連付けて配置されていることを特徴とする請求項１に記載の運動競技場。
【請求項３】
前記上昇装置（６０、６、７）が、前記開口部（１４）において前記固定式支持基台（５）と同一面にある位置に固定されるように構成された上昇装置プレート（８、６１）を備えることを特徴とする請求項１または２に記載の運動競技場。
【請求項４】
前記収納室（５０）が、複数のレベル（３、４）を備え、
前記車両アクセスポート（１１）が、前記レベル（３、４）に配置されていることを特徴とする請求項１から３のいずれか１項に記載の運動競技場。
【請求項５】
前記上昇装置（６０）が、回動式傾斜台（６）の形態にあり、
前記回動式傾斜台（６）が、前記固定式支持基台（５）のレベルに配置された回動軸（６２）回りで降下及び上昇位置間を回動する傾斜プレート（６１）を示すことを特徴とする請求項１から４のいずれか１項に記載の運動競技場。
【請求項６】
前記フィールドカバー（２）の上面が、前記固定式支持基台（５）上に配置されると、前記固定式支持基台（５）に隣接する地面（５ｂ）と同一面となることを特徴とする請求項１から５のいずれか１項に記載の運動競技場。
【請求項７】
前記収納室（５０）に収納されたフィールドカバー（２ｃ）が、駐車した車両（１５）のための支持を構成することを特徴とする請求項１から６のいずれか１項に記載の運動競技場。
【請求項８】
前記収納室（５０）が、前記固定式支持基台（５）の直下に位置することを特徴とする請求項１から７のいずれか１項に記載の運動競技場。
【請求項９】
前記収納室（５０）が、前記固定式支持基台（５）の直下の空間の外側の位置に位置することを特徴とする請求項１から７のいずれか１項に記載の運動競技場。
【請求項１０】
前記固定式支持基台（５）と前記収納室（５０）のレベル（３）と上昇装置（６０）とは、前記フィールドモジュール（１）を移動させるように構成された組込式駆動組立体を備えることを特徴とする請求項１から９のいずれか１項に記載の運動競技場。
【請求項１１】
運動競技場（１００）の固定式支持基台（５）にある第１フィールドカバー（２ａ）を第２フィールドカバー（２ｂ）と交換する方法であって、
前記固定式支持基台（５）が、観客席（１３）によって囲まれ、
前記第１フィールドカバー（２ａ）及び前記第２フィールドカバー（２ｂ）が、前記固定式支持基台（５）によって支持されると均一面を形成するように構成された複数のフィールドモジュール（１ａ、１ｂ）を備え、
当該方法が、
ａ）前記第１フィールドカバー（２ａ）のフィールドモジュール（１ａ）を第１上昇装置（６０）上に移動させ、前記固定式支持基台（５）のレベルの下方にあるレベルに配置された収納室（５０）のレベル（３）まで前記フィールドモジュール（１ａ）を下方に移動させ、前記第１上昇装置（６０）が前記収納室（５０）のレベル（３）にあると前記第１フィールドカバー（２ａ）の前記フィールドモジュール（１ａ）を前記第１上昇装置（６０）から前記収納室（５０）の収納位置まで移動させることを繰り返すステップと、
ｂ）前記収納室（５０）のレベル（３）に収納された前記第２フィールドカバー（２ｂ）の前記フィールドモジュール（１ｂ）を第２上昇装置（６０）上に移動させ、前記フィールドモジュール（１ｂ）を前記固定式支持基台（５）のレベルまで上昇させ、前記第２上昇装置（６０）が前記固定式支持基台（５）のレベルにあると前記第２フィールドカバー（２ｂ）の前記フィールドモジュール（１ｂ）を前記固定式支持基台（５）上にそして所定位置に移動させることを繰り返し、前記第２フィールドカバー（２ｂ）の他の前記フィールドモジュール（１ｂ）と共に均一面を形成するステップと、
を備えることを特徴とする方法。
【請求項１２】
前記ステップａ）を実行する第１期間と前記ステップｂ）を実行する第２期間とは、重なることを特徴とする請求項１１に記載の方法。
【請求項１３】
ｃ）前記収納室（５０）の側面に配置された車両アクセスポート（１１）を通して前記収納室（５０）内へ車両（１５）を受けるステップをさらに備えることを特徴とする請求項１１または１２に記載の方法。
【請求項１４】
前記ステップｃ）が、前記収納室（５０）に収納されたフィールドモジュール（１ｃ）上に前記車両（１５）を駐車させるステップを備えることを特徴とする請求項１３に記載の方法。
【請求項１５】
前記ステップａ）が、前記第１フィールドカバー（２ａ）の前記フィールドモジュール（１ａ）を前記収納室（５０）の第１レベル（３）まで降下させるステップを備え、
前記ステップｂ）が、前記第２フィールドカバー（２ｂ）の前記フィールドモジュール（１ｂ）を前記収納室（５０）の第２レベル（４）から上昇させるステップを備え、
前記第１レベル（３）が、前記第２レベル（４）とは別の垂直高度にあることを特徴とする請求項１１から１４のいずれか１項に記載の方法。
【発明の詳細な説明】
【技術分野】
【０００１】
本発明は、人工芝または天然芝の芝フィールドのような可撤式フィールドを有する競技場に関する。特に、本発明にかかる競技場は、観戦席によって少なくとも部分的に囲まれたフィールドを有し、固定式支持基台の下方のレベルに可撤式フィールドのための収納室を示す。
【背景技術】
【０００２】
現代の競技場は、建設し維持するためにコストがかかる。したがって、所有者は、コストに対処するためにできるだけ競技場を使用することに興味がある。例えば、サッカーチームのホームグラウンドは、シーズン中に主として二週に一度スポーツのために使用され、シーズン外ではもっと少ない。また、カップ戦のような他の試合が主としてある。その結果、競技場は、その時間のほとんどにおいて使用されていないままとされる。この数十年間、大きなコンサートのような文化イベントのためにもこのような競技場を使用することを開始している。このようなイベントは、競技場の所有者にとって重要な収入を構成する。
【０００３】
しかしながら、天然芝フィールドで開催される大型のコンサートは、芝を損傷させるまたは損傷させることがある。芝を保護する手段をしばしば使用しているが、常には十分ではない。さらに、このような保護手段は、設置及び撤去に時間がかかる。その結果、競技場の所有者は、運動イベントと文化イベントとの間で競技場の様式を迅速には変化できない。所有者は、運動イベントのための良質の芝を提供するというその責任に制約され、他の文化イベントのために可能な日付を提供することを困難とする。
【０００４】
この問題は、数十年間にわたって存在しており、これを解決するためにいくつかの公知の解決法を提案している。いくつかの解決法は、フィールドを保護するまたは被覆することに関する一方、他の解決法は、現場でフィールドを保護することに替えてフィールドを撤去することに関する。
【０００５】
２０１３年１月３日に発行された特許文献１には、フィールドカバーを可撤式フィールドモジュールで形成する解決法が記載されている。使用時には、フィールドモジュールは、固定式支持基台に支持されており、共に均一な表面、例えばサッカーフィールドを形成するように構成されている。フィールドモジュールは、固定式支持基台にある開口部を通って固定式支持基台の下方にある収納室へ下方に固定式支持基台から搬送される。リフト装置は、開口部と関連付けて配置されており、固定式支持基台と収納室との間でフィールドモジュールを移動させる。
【０００６】
１９８０年からの特許文献２には、氷フィールドを覆うように構成された床モジュールからなる床が記載されている。モジュールは、氷から撤去されて天井の下方に収納されるプレートを有する。このため、モジュールは、氷フィールドを使用しないときには氷を保護する。
【０００７】
既存のフィールドを保護するための別のシステムは、特許文献３に記載されている。特許文献３には、堀に配置されたローラに巻回されたシートカバーが記載されている。芝フィールドを保護するため、カバーは、巻き出されてフィールド上に配置される。
【０００８】
Turfgrass Bulletinは、２００１年１０月の記事（発行番号２１４）を公開しており、これは、可動式芝モジュールで形成されたピッチを説明している。モジュールは、それぞれ約１ｍ２〜２ｍ２であり、従来のフォークリフトによって競技場の外へ移動される。芝モジュールの下方には、コンクリート床のような固定式支持基台がある。
【先行技術文献】
【特許文献】
【０００９】
【特許文献１】国際公開第２０１３／００２６４９号
【特許文献２】独国特許第２９２４９０４号明細書
【特許文献３】欧州特許第１５００４１６号明細書
【発明の概要】
【発明が解決しようとする課題】
【００１０】
芝フィールドのようなフィールドカバーを覆うことに関する解決法は、長期間にわたって被覆されると、芝が劣化するという問題を呈する。さらに、プレートまたはシートカバーで覆っても、ステージ及びトラック及びカメラ／音声装置のような関連する設備並びに観客を伴うコンサートのようなイベントは、芝を物理的に損傷させる。
【００１１】
フィールドカバーを撤去することに関する解決法は、膨大な数のフィールドモジュールを撤去することが厄介でありかつ時間がかかるという欠点を呈する。さらに、フィールドモジュールのための収納空間は、競技場の外または競技場建造物の中に必要である。競技場建造物の中とは、事務所建物、店、ＶＩＰ室などのような貴重な空間を示す。したがって、これは、望ましい解決法ではない。
【００１２】
本発明の目的は、従来技術にかかる解決法の欠点を改善する解決法を提供することである。本発明の特有の目的は、芝フィールドの迅速な撤去及び芝フィールドの迅速な再組み立てを可能とする解決法を提供することである。さらに別の目的は、利用を促進しかつ競技場の所有者または操作者のための収入を増大させる運動競技場を提供することである。
【課題を解決するための手段】
【００１３】
本発明の第１態様によれば、観客席によって囲まれた固定式支持基台を有する運動競技場を提供する。フィールドカバーは、固定式支持基台上に配置されており、複数のフィールドモジュールを備える。フィールドモジュールは、固定式支持基台上を移動可能である。開口部は、固定式支持基台の下方にあるレベルにおいて収納室へのアクセスを構成し、上昇装置は、開口部と関連付けて配置されている。上昇装置は、収納室のレベルと固定式支持基台のレベルとの間でフィールドモジュールを昇降させるように構成されている。本発明によれば、収納室には、収納室の側面に車両アクセスポートが設けられている。
【００１４】
用語「観客席によって囲まれている」は、固定支持基台上に配置したときに、フィールドカバーの周囲の少なくとも一部が観客席に隣接することを意味する。このため、いくつかの実施形態において、フィールドカバー全体は、観客席によって囲まれてもよい一方、他の実施形態は、例えば、フィールドカバーの周囲の約３／４に隣接する観客席を有してもよい。
【００１５】
好ましい実施形態によれば、上昇装置は、収納室の側面に関連付けて配置されている。
【００１６】
好ましくは、上昇装置は、上昇装置プレートを備え、この上昇装置プレートは、固定式支持基台と同一面にある位置で開口部内に固定されるように構成されている。固定は、ロック機構を用いてもたらされる。
【００１７】
さらなる形態において、収納室は、複数のレベルを備え、車両アクセスポートは、このようなレベルの一部またはすべてに配置されている。
【００１８】
上昇装置は、回動式傾斜台の形態であってもよい。回動式傾斜台は、傾斜プレートを示してもよく、この傾斜プレートは、固定式支持基台のレベルに配置された回動軸回りで下降及び上昇位置間で回動する。すなわち、回動軸は、固定式支持基台のレベルにほぼ配置されてもよい。このようにして、傾斜プレートが上昇位置にあるときに、その上面は、固定式支持基台と同一面にある。
【００１９】
フィールドカバーの上面は、固定式支持基台に配置されているときに、有利には、固定式支持基台に隣接する地面と同一面にあってもよい。
【００２０】
収納室に収納されているフィールドカバーは、駐車した車両のための支持を構成してもよい。この態様において、車両及びフィールドカバー双方を同時に収納室の同一レベルに収納してもよい。
【００２１】
収納室は、固定式支持基台の直下に位置してもよい。別の形態において、収納室は、固定式支持基台の直下の空間の外側に位置してもよい。このため、収納室は、使用中にはフィールドカバー及びそのフィールドモジュールが配置される固定式支持基台の領域を超えて延在してもよい。
【００２２】
有利な形態において、固定式支持基台と収納室のレベルと上昇装置とは、フィールドモジュールを移動させるように構成された組込型の駆動組立体を備える。
【００２３】
有利な形態において、フィールドモジュールは、フロアコンベアシステムの形態にある駆動組立体を用いて、固定式支持基台、上昇装置及び収納室のレベルにわたって移動されもよい。このような駆動組立体は、個別のフィールドモジュールを移動させて位置付けるための手段としてベルト及び軌道を有してもよい。使用中において、フィールドモジュール、例えば天然芝を有するフィールドモジュールは、不均一に摩耗しかつ裂けているように見えることがある。したがって、好ましい特徴は、フィールドモジュールを複数列のコンベア間で移動させることができることであり、芝が摩耗したフィールドモジュールが良好な表面を有するフィールドモジュールと位置を交互に入れ替えることを可能とする、または、単純に芝が摩耗したフィールドモジュールを予備のフィールドモジュールと交換する。
【００２４】
駆動組立体は、固定式支持基台、エレベータ床面及び収納室のレベルにわたって複数列のフィールドモジュールを搬送するコンベアベルトであってもよい。有利には、各コンベアは、１つのフィールドモジュールを対象としてもよく、このため、モジュールが所望位置に到達するとモジュールを置くことを可能とする。さらなるコンベアは、同様に、複数列の主コンベア間の直交位置にあってもよく、床モジュールの代替位置を可能とする。軌道または他の案内を使用して、搬送時及び静止時双方に正確なモジュールの位置付けをさらに保証してもよい。
【００２５】
本発明の第２態様によれば、運動競技場の固定式支持基台にある第１フィールドカバーを第２フィールドカバーと交換する方法を提供する。固定式支持基台は、観客席によって囲まれている。さらに、第１フィールドカバー及び第２フィールドカバーは、固定式支持基台によって支持されると均一面を形成するように構成された複数のフィールドモジュールを備える。
本発明の第２態様によれば、方法は、
ａ）第１フィールドカバーのフィールドモジュールを第１上昇装置上に移動させ、固定式支持基台のレベルの下方にある垂直レベルに配置された収納室のレベルまでフィールドモジュールを下方に移動させ、第１上昇装置が収納室のレベルにあると第１フィールドカバーのフィールドモジュールを第１上昇装置から収納室の収納位置まで移動させることを繰り返すステップと、
ｂ）収納室のレベルに収納された第２フィールドカバーのフィールドモジュールを第２上昇装置上に移動させ、フィールドモジュールを固定式支持基台のレベルまで上昇させ第２上昇装置が固定式支持基台のレベルにあると第２フィールドカバーのフィールドモジュールを固定式支持基台上にそして所定位置に移動させることを繰り返し、第２フィールドカバーの他のフィールドモジュールと共に均一面を形成するステップと、
を備える。
【００２６】
有利には、本発明の第２態様にかかる形態において、ステップａ）を実行する第１期間とステップｂ）を実行する第２期間とは、重なる。
【００２７】
方法は、ｃ）収納室の側面に配置された車両アクセスポートを通して収納室内へ車両を受けるステップをさらに備える。
【００２８】
ステップｃ）は、収納室に収納されたフィールドモジュール上に上記車両を駐車させるステップを備えてもよい。
【００２９】
本発明の第２態様にかかる形態の方法において、ステップａ）は、第１フィールドカバーのフィールドモジュールを収納室の第１レベルまで降下させるステップを備えてもよく、ステップｂ）は、第２フィールドカバーのフィールドモジュールを収納室の第２レベルから上昇させるステップを備えてもよく、第１レベルは、第２レベルとは別の垂直高度にある。
【００３０】
本発明の様々な全般的な特徴を上述したが、様々な実施形態にかかるいくつかの非限定的かつ詳細な例を図面を参照しながら後述する。
【図面の簡単な説明】
【００３１】
【図１】本発明にかかる運動競技場を示す斜視図である。
【図２】本発明にかかる運動競技場を通る横断面図である。
【図３】本発明にかかる運動競技場を通る横断面図である。
【図４】本発明にかかる運動競技場を通る横断面図である。
【図５】本発明にかかる運動競技場を通る横断面図である。
【図６】本発明にかかる運動競技場を通る横断面図である。
【図７】本発明にかかる運動競技場を通る横断面図である。
【図８】本発明にかかる運動競技場を通る横断面図である。
【図９】図８に対応する横断面図であって、別の実施形態を示す、横断面図である。
【図１０】図９に対応する横断面図であって、別の動作状態にある、横断面図である。
【図１１】図８と同様の横断面図である。
【図１２】図１に対応する運動競技場を示す斜視図であるが、別の実施形態を示す、斜視図である。
【図１３】図１２に示す実施形態にかかる運動競技場を通る横断面図である。
【図１４】図１３にかかる横断面図であって、本発明にかかる方法の様々なステップを示す、横断面図である。
【図１５】図１３にかかる横断面図であって、本発明にかかる方法の様々なステップを示す、横断面図である。
【図１６】図１３にかかる横断面図であって、本発明にかかる方法の様々なステップを示す、横断面図である。
【図１７】図１３にかかる横断面図であって、本発明にかかる方法の様々なステップを示す、横断面図である。
【図１８】図１３にかかる横断面図であって、本発明にかかる方法の様々なステップを示す、横断面図である。
【図１９】本発明の別の実施形態を示す横断面図である。
【図２０】運動競技場の一部を通る別の横断面図であって、本発明の別の実施形態を示す、横断面図である。
【発明を実施するための形態】
【００３２】
図１の斜視図は、本発明にかかる運動競技場１００を示す。サッカーフィールドを囲む観客席１３の一部を示す。図示したサッカーフィールドは、複数のフィールドモジュール１によって組み立てられたフィールドカバー２によって構成されている。フィールドモジュール１は、固定式支持基台５に支持されており、固定式支持基台５上で移動可能である。このため、フィールドモジュール１は、固定式支持基台５上で周囲を移動され、完全なサッカーフィールドまたは他の種類の運動フィールドを構成するように共に組み立てられる。このような運動フィールドに関して、天然芝または人工芝は、フィールドモジュール１の上面を構成する。しかしながら、他のタイプのイベントに関して、フィールドモジュール１の上面は、別の表面を呈することがある。例えば、単純な床のような表面は、このイベントが大型のコンサートである場合に適することがある。
【００３３】
図１の斜視図には、固定式支持基台５の下方のレベルにある収納室５０が示されている。図示した実施形態において、収納室５０は、２つの階またはレベル、すなわち、第１レベル３及び第２レベル４を備える。本発明によれば、フィールドモジュール１は、固定式支持基台５上のこれら位置と収納室との間を固定式支持基台５にある開口部１４を通して搬送される。開口部１４に関連して、上昇装置６０が配置されている。図１に示す実施形態において、上昇装置６０は、回動式傾斜台６の形態にある。回動式傾斜台６は、傾斜プレート６１を有し、この傾斜プレートは、開口部１４に配置され、固定式支持基台５のレベルにほぼ配置された回動軸６２回りに回動するように構成されている。
【００３４】
このため、フィールドモジュール１を固定式支持基台５から収納室５０に搬送するために、フィールドモジュール１は、傾斜プレートが上昇位置にあるときに傾斜プレート６１上に移動され、この上昇位置において、傾斜プレートは、固定式支持基台５の表面と同一面となっている。そして、傾斜プレート６１は、回動軸６２回りに下方へ回動され、その後、フィールドモジュール１は、傾斜した傾斜プレート６１に沿って移動されることによって、収納室５０内へ下方へ移動される。いったんフィールドモジュール１が傾斜プレート６１から離れると、傾斜プレート６１は、固定式支持基台５のレベルまで上昇して戻るように回動し、収納室５０内に移動されるべき別のフィールドモジュール１を受ける。
【００３５】
図１に示すように、回動式傾斜台６は、収納室の第１レベル３と収納室５０の第２レベル４との間にも配置されている。
【００３６】
図２の主横断面図を参照し、この図は、本発明にかかる運動競技場１００を示す。この実施形態において、第１フィールドカバー２ａは、固定式支持基台５上に配置されている一方、第２フィールドカバー２ｂのフィールドモジュール１ｂは、収納室５０の第１レベル３に配置されている。破線で示すように、収納室５０は、図１に示す第２レベル４及びさらなるレベルのような追加のレベルを有してもよい。収納室５０のレベル数を増やすことにより、収納容量が増大し、このため、多数のフィールドカバー２、主として様々なタイプのフィールドカバー２を収納することが可能となる。
【００３７】
収納室５０の反対側の端部には、本実施形態ではエレベータ７の形態にある上昇装置６０が配置されている。エレベータ７は、図２には示されていない。しかしながら、このようなエレベータは、図８の拡大横断面図に示されている。図２の実施形態にかかる２つのエレベータ７は、固定式支持基台５にある開口部１４に関連して配置されている。エレベータ７は、固定式支持基台５のレベルと収納室５０の第１レベル３との間でエレベータプレート８を垂直方向に上下動させるように構成されている。このため、第１または第２フィールドモジュール１ａ、１ｂをエレベータ７上に移動させることにより、フィールドモジュールは、収納室５０と固定式支持基台５との間で搬送される。
【００３８】
図２に示す状況において、両エレベータ７のエレベータプレート８は、固定式支持基台５と同一面にあるレベルにおいて開口部１４それぞれに固定されている。この位置において、エレベータプレート８は、エレベータ７の残りの部分を開口部１４内にあるエレベータプレート８と共に降下させるように固定されている。
【００３９】
図３は、図２と同じ横断面を示す。図３に示す状況において、一方のエレベータ７は、エレベータプレート８を収納室５０の第１レベル３まで下方移動させている。第２フィールドカバー２ｂの１つのフィールドモジュール１ｂは、このエレベータプレート８上に移動されている。収納室５０の反対側にある他方のエレベータプレート８は、第１フィールドカバー２ａの１つのフィールドモジュール１ａを受け取っている。
【００４０】
図４は、図２及び図３と同じ横断面を示す。しかしながら、図４に示す状況において、一方のエレベータは、第２フィールドカバー２ｂのフィールドモジュール１ｂを固定式支持基台５のレベルまで上方移動させている。さらに、このフィールドモジュール１ｂは、固定式支持基台５上に移動されている。第１フィールドカバー２ａの一列のまたは複数のフィールドモジュール１ａは、反対側のエレベータ７及び反対側の開口部１４に向けて所定距離移動されている。しかも、第１フィールドカバー２ａの１つのフィールドモジュール１ａは、エレベータプレート８上に移動されており、収納室５０の第１レベル３まで垂直方向に降下され、この第１レベル上で横方向に移動されている。この処理は、第１フィールドカバー２ａ全体を初期的に収納室５０に収納されている第２フィールドカバー２ｂと交換するまで、繰り返される。
【００４１】
２つの反対側に配置された上昇装置６０であってこの実施形態においてエレベータ７の形態にある上昇装置を用いることにより、第１フィールドカバー２ａは、迅速な態様で第２フィールドカバー２ｂと交換される。図６は、この交換後の状況を示す。
【００４２】
注意することは、２つの開口部１４及びこれらに関連する上昇装置６０が厳密に反対側の位置に配置される必要はないことである。しかしながら、当業者に明確であるように、フィールドモジュール１を他方の開口部１４において上昇装置６０上へ移動させたときに固定式支持基台５のうち一方の開口部に近接する領域が形成されるような位置に開口部１４を配置することは、有利である。
【００４３】
図７は、本発明にかかるが１つの開口部１４のみを有する運動競技場１００を示す。第１フィールドカバー２ａを第２フィールドカバー２ｂと交換するために、第２フィールドカバー２ｂのフィールドモジュール１ｂを収納室５０から固定式支持基台５まで上方へ移動させることを開始する前に、エレベータ７を用いて、第１フィールドカバー２ａのフィールドモジュール１ａを収納室５０から搬送する必要がある。図７に示す実施形態において、第１フィールドカバー２ａを収納室５０の第２レベル４まで下方へ搬送し、その後、第２フィールドカバー２ｂを収納室５０の第１レベル３から上方に搬送する。図２から図６を参照して説明した実施形態と比較して、これは、より時間がかかる。
【００４４】
図８の拡大断面図に戻ると、この実施形態のエレベータ７は、主として、油圧駆動式テーブルリフトである。同様に、図８には、エレベータプレート８のためのロック機構９が示されている。開口部１４内に位置にロックされると、エレベータプレート８は、リフト７を降下させても固定式支持基台５と同一面のままとなる。このようなロック機構９は、同様に、開口部１４の位置において回動式傾斜台６の傾斜プレート６１を保持するために使用されてもよい（図１参照）。
【００４５】
図９は、図８と同様の拡大断面図である。しかしながら、この実施形態において、開口部１４は、観客席１３の一部の下方に部分的に配置されている。
【００４６】
図１０は、フィールドモジュール１がエレベータ７のエレベータプレート８上に移動されようとしている状況における、図９と同一実施形態を示す。
【００４７】
図１１は、本発明にかかる特有の有利な実施形態の運動競技場１００を示す。この実施形態において、フィールドカバー２の上面は、地面５ｂと同一面となっており、この地面は、固定式支持基台５に隣接している。このため、フィールドカバーを固定式支持基台５上に配置すると、フィールドカバーと周辺領域との間には、レベル段差がある。ロック機構９がこの図においてフィールドモジュール１ａと関連付けて示しているが、ロック機構９は、有利には、図８に示すように、同一位置に配置されており、そのため、エレベータプレート８を固定式支持基台５と同一面となる位置でロックするように構成されている。
【００４８】
図１２は、図２に示す実施形態と同様の実施形態にかかる主要斜視図である。しかしながら、図１２の実施形態では、上昇装置６０が回動式傾斜台６の形態にある。さらに、収納室５０は、１つのレベル３のみ有する。
【００４９】
図１３から図１８は、主横断面図であり、この横断面図は、第１フィールドカバー２ａを第２フィールドカバー２ｂと交換する処理を示す。例えば図１４などからわかるように、２つの回動式傾斜台６は、収納室５０の異なる場所に配置されている。このため、第１フィールドカバー２ａのフィールドモジュール１ａは、一方の回動式傾斜台６上を収納室５０まで下方に移動される一方、第２フィールドカバー２ｂのフィールドモジュール１ｂは、他方の回動式傾斜台６上を固定式支持基台５まで上方に移動される。
【００５０】
図１９は、本発明にかかる別の実施形態の運動競技場１００の横断面図である。この実施形態では、収納室５０には、車両アクセスポート１１が設けられており、この車両アクセスポートは、収納室５０の側面位置に配置されている。好ましくは、車両アクセスポート１１は、トンネルと関連付けて配置されており、このトンネルにより、車両１５は、運動競技場１００の外側の場所にある道レベル位置から収納室に到達することを可能とする。この実施形態により、車両１５は、固定式支持基台５の下方にある収納室５０に駐車できる。この駐車空間は、コンサートまたはサッカーの試合のような文化または運動イベント中などに、競技場所有者にとって大きな収入を構成し得る。
【００５１】
同様に、図１９には、回動式傾斜台９が示されている。いくつかの回動式傾斜台は、収納室５０の第１及び第２レベル３、４に配置されている。他の回動式傾斜台６は、固定式支持基台５と同一面に配置されている。
【００５２】
図１９に示す収納室５０の第１レベル３には、車両支持カバー２ｃが配置されている。車両支持カバー２ｃは、様々なタイプのフィールドカバー２のうちの１つであってもよい。例えば、フィールドカバーは、コンサートまたは見本市の間に固定式支持基台５に配置されるように構成されてもよい。車両１５を車両支持カバー２ｃ上で運転させて駐車させることによって、フィールドカバー２の収納及び車両１５のための駐車空間双方を得る。もちろん、車両１５は、フィールドモジュールで形成された特有の車両支持カバー２ｃを用いずに収納室５０に駐車してもよい。
【００５３】
図２０は、本発明にかかるさらに別の実施形態の拡大横断面図である。フィールドモジュール１の移動を容易にするため、固定式支持基台５と収納室５０の第１レベル３とこの実施形態においてエレベータ７の形態にある上昇装置６０とは、フィールドモジュール１を移動させるように構成された組込式駆動組立体１０を備える。
【００５４】
このような駆動組立体１０を用いて、フィールドモジュール１の移動は、大きな範囲で自動化される。特に、このような駆動組立体１０を収納室５０に設置することにより、各レベル３、４間の垂直方向の距離を低減した状態で収納室に複数のレベル３、４を有することを推測できる。そして、フィールドモジュール１の収納位置へ歩かなければならないことを回避する。この態様において、収納室の狭い領域のみを用いることによって相当数のフィールドモジュール１を収納し得る。
【符号の説明】
【００５５】
１４  開口部
１０  （駆動組立体に組み込まれた）駆動組立体
７  エレベータ
８  エレベータプレート
５  固定式支持基台
２  フィールドカバー
１  フィールドモジュール
５ｂ  （固定式支持基台に隣接する）地面
３  収納室の第１レベル
４  収納室の第２レベル
６０  上昇装置
９  （エレベータプレートのための）ロック機構
６２  回動軸
６  （傾斜プレートを有する）回動式傾斜台
６１  傾斜プレート
１３  観客席
１００  運動競技場
５０  収納室
１５  車両
１１  車両アクセスポート
２ｃ  車両支持カバー
【図１】
2016509139.tif 000003
【図２】
2016509139.tif 000004
【図３】
2016509139.tif 000005
【図４】
2016509139.tif 000006
【図５】
2016509139.tif 000007
【図６】
2016509139.tif 000008
【図７】
2016509139.tif 000009
【図８】
2016509139.tif 000010
【図９】
2016509139.tif 000011
【図１０】
2016509139.tif 000012
【図１１】
2016509139.tif 000013
【図１２】
2016509139.tif 000014
【図１３】
2016509139.tif 000015
【図１４】
2016509139.tif 000016
【図１５】
2016509139.tif 000017
【図１６】
2016509139.tif 000018
【図１７】
2016509139.tif 000019
【図１８】
2016509139.tif 000020
【図１９】
2016509139.tif 000021
【図２０】
2016509139.tif 000022
【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
観客席（１３）によって囲まれた固定式支持基台（５）を有する運動競技場であって、
芝フィールドカバー（２）が、前記固定式支持基台（５）に配置されており、芝面を有する複数のフィールドモジュール（１）によって組み立てられており、
前記フィールドモジュール（１）が、前記固定式支持基台（５）上で移動可能であり、
開口部（１４）が、前記固定式支持基台（５）の下方のレベルにある収納室（５０）へのアクセスを構成し、
上昇装置（６０）が、前記開口部（１４）に関連付けられて配置され、前記収納室（５０）のレベル（３、４）と前記固定式支持基台（５）のレベルとの間で前記フィールドモジュール（１）を昇降させるように構成され、
前記収納室（５０）には、当該収納室（５０）の側面に車両アクセスポート（１１）が設けられていることを特徴とする運動競技場。
【請求項２】
前記上昇装置（６０）が、前記収納室（５０）の側面に関連付けて配置されていることを特徴とする請求項１に記載の運動競技場。
【請求項３】
前記上昇装置（６０、６、７）が、前記開口部（１４）において前記固定式支持基台（５）と同一面にある位置に固定されるように構成された上昇装置プレート（８、６１）を備えることを特徴とする請求項１または２に記載の運動競技場。
【請求項４】
前記収納室（５０）が、複数のレベル（３、４）を備え、
前記車両アクセスポート（１１）が、前記レベル（３、４）に配置されていることを特徴とする請求項１から３のいずれか１項に記載の運動競技場。
【請求項５】
前記上昇装置（６０）が、回動式傾斜台（６）の形態にあり、
前記回動式傾斜台（６）が、前記固定式支持基台（５）のレベルに配置された回動軸（６２）回りで降下及び上昇位置間を回動する傾斜プレート（６１）を示すことを特徴とする請求項１から４のいずれか１項に記載の運動競技場。
【請求項６】
前記フィールドカバー（２）の上面が、前記固定式支持基台（５）上に配置されると、前記固定式支持基台（５）に隣接する地面（５ｂ）と同一面となることを特徴とする請求項１から５のいずれか１項に記載の運動競技場。
【請求項７】
前記収納室（５０）に収納されたフィールドカバー（２ｃ）が、駐車した車両（１５）のための支持を構成することを特徴とする請求項１から６のいずれか１項に記載の運動競技場。
【請求項８】
前記収納室（５０）が、前記固定式支持基台（５）の直下に位置することを特徴とする請求項１から７のいずれか１項に記載の運動競技場。
【請求項９】
前記収納室（５０）が、前記固定式支持基台（５）の直下の空間の外側の位置に位置することを特徴とする請求項１から７のいずれか１項に記載の運動競技場。
【請求項１０】
前記固定式支持基台（５）と前記収納室（５０）のレベル（３）と上昇装置（６０）とは、前記フィールドモジュール（１）を移動させるように構成された組込式駆動組立体を備えることを特徴とする請求項１から９のいずれか１項に記載の運動競技場。
【請求項１１】
運動競技場（１００）の固定式支持基台（５）にある第１フィールドカバー（２ａ）を第２フィールドカバー（２ｂ）と交換する方法であって、
前記固定式支持基台（５）が、観客席（１３）によって囲まれ、
前記第１フィールドカバー（２ａ）及び前記第２フィールドカバー（２ｂ）が、前記固定式支持基台（５）によって支持されると均一面を形成するように構成された複数のフィールドモジュール（１ａ、１ｂ）を備え、
当該方法が、
ａ）前記第１フィールドカバー（２ａ）のフィールドモジュール（１ａ）を第１上昇装置（６０）上に移動させ、前記固定式支持基台（５）のレベルの下方にあるレベルに配置された収納室（５０）のレベル（３）まで前記フィールドモジュール（１ａ）を下方に移動させ、前記第１上昇装置（６０）が前記収納室（５０）のレベル（３）にあると前記第１フィールドカバー（２ａ）の前記フィールドモジュール（１ａ）を前記第１上昇装置（６０）から前記収納室（５０）の収納位置まで移動させることを繰り返すステップと、
ｂ）前記収納室（５０）のレベル（３）に収納された前記第２フィールドカバー（２ｂ）の前記フィールドモジュール（１ｂ）を第２上昇装置（６０）上に移動させ、前記フィールドモジュール（１ｂ）を前記固定式支持基台（５）のレベルまで上昇させ、前記第２上昇装置（６０）が前記固定式支持基台（５）のレベルにあると前記第２フィールドカバー（２ｂ）の前記フィールドモジュール（１ｂ）を前記固定式支持基台（５）上にそして所定位置に移動させることを繰り返し、前記第２フィールドカバー（２ｂ）の他の前記フィールドモジュール（１ｂ）と共に均一面を形成するステップと、
を備えることを特徴とする方法。
【請求項１２】
前記ステップａ）を実行する第１期間と前記ステップｂ）を実行する第２期間とは、重なることを特徴とする請求項１１に記載の方法。
【請求項１３】
ｃ）前記収納室（５０）の側面に配置された車両アクセスポート（１１）を通して前記収納室（５０）内へ車両（１５）を受けるステップをさらに備えることを特徴とする請求項１１または１２に記載の方法。
【請求項１４】
前記ステップｃ）が、前記収納室（５０）に収納されたフィールドモジュール（１ｃ）上に前記車両（１５）を駐車させるステップを備えることを特徴とする請求項１３に記載の方法。
【請求項１５】
前記ステップａ）が、前記第１フィールドカバー（２ａ）の前記フィールドモジュール（１ａ）を前記収納室（５０）の第１レベル（３）まで降下させるステップを備え、
前記ステップｂ）が、前記第２フィールドカバー（２ｂ）の前記フィールドモジュール（１ｂ）を前記収納室（５０）の第２レベル（４）から上昇させるステップを備え、
前記第１レベル（３）が、前記第２レベル（４）とは別の垂直高度にあることを特徴とする請求項１１から１４のいずれか１項に記載の方法。
【国際調査報告】
2016509139.tif 000023
2016509139.tif 000024
2016509139.tif 000025